(57)【要約】【課題】  複数個の印字輪を回転自在に並設してなる回転ゴム印であって、各印字輪の外周面に一定間隔毎に設けている複数の印字における所望の印字を押印位置まで簡単且つ正確に送り込むことができる回転ゴム印を提供する。【解決手段】  並設している複数個の印字輪４の上方に、これらの印字輪４の並列方向に移動可能で且つ各印字輪４に対応する位置において停止可能な操作部材７を配設すると共に、この操作部材７の先端下部に、印字輪４の印字５、５間に設けている係合溝部5bに係脱自在に係合する送り片8aを突設した回動子８を回転自在に軸支してあり、さらに、操作部材７に、一回の押し下げ操作によってその下面で回動子８の一つの送り片8aを押し進めて印字輪４を一ピッチずつ移動させるノックピン９を上下動自在に支持している。【選択図】  図３
2014195913.tif 000002
【特許請求の範囲】
【請求項１】
ケース状本体における所定間隔を存して対向している両側枠部の下端部間に支軸を固定し、この支軸に、外周面に印字を周方向に一定ピッチ毎に突設している複数個の印字輪を回転自在に並設する一方、上記両側枠部間の上部に印字送り機構を配設してなる回転ゴム印であって、印字送り機構は、上記両側枠部の上端部間に固定した角軸と、この角軸に、上記支軸に並設した各印字輪に対応する位置において停止可能となるように横移動自在に支持されている操作部材と、この操作部材に上下動自在に支持され、下方に押動する毎に上記印字輪を一ビッチだけ回動させるノックピンとから構成されていることを特徴とする回転ゴム印。
【請求項２】
印字輪の外周面に周方向に一定ピッチ毎に歯状突起部を突設してこれらの歯状突起部の頂面に上記印字を貼着していると共に上記操作部材の下端部に、周方向に一定間隔毎に印字輪の上記歯状突起部間の係合溝部に係合する送り片を突設した回動子を回転自在に軸支してあり、この回動子の一つの送り片にノックピンの下端面を押し付けて該ノックピンを常時上方に付勢しているスプリング力に抗して押し下げることにより回動子を所定角度だけ回動させて印字輪を一ピッチだけ回動させるように構成していることを特徴とする請求項１に記載の回転ゴム印。
【請求項３】
角軸の一つの面に、この角軸の長さ方向に一定間隔毎に、支軸に並設支持された各印字輪に対応させて係止凹部を設けていると共に、操作部材に、スプリング力によって常時、各軸の上記一つの面に摺動自在に押接されて上記係止凹部に係脱自在に係止する小球体を設け、これらの係止凹部と小球体とによって操作部材を所望の印字輪上で停止させる位置決め機構を構成していることを特徴とする請求項１に記載の回転ゴム印。
【請求項４】
各印字輪の中心に、これらの印字輪に突設している各印字に対応してその内周面に複数の凹溝を形成している中心孔を設けている一方、この中心孔にその外周面を摺接させて印字輪を回転自在に支持している固定支持片を支軸に装着してあり、この固定支持片の外周面に印字輪の中心孔に設けている上記凹溝に係脱自在に係合する弾性係止突片部を突設していることを特徴とする請求項１に記載の回転ゴム印。
【請求項５】
全ての印字輪において、押印位置に向けている印字から周方向に一定間隔を存した外周面における隣接する印字間の表面に、上記押印位置に向けている印字文字の見出し文字を記載していると共に、枠体における一つの枠部に外部から見出し文字を確認することができる透窓を設けていることを特徴とする請求項１に記載の回転ゴム印。
【発明の詳細な説明】
【技術分野】
【０００１】
本発明は、複数個の印字輪を回転自在に並設してなる回転ゴム印において、各印字輪の外周面に一定間隔毎に設けている複数の印字における所望の印字を押印位置に移動させる印字送り機構を備えた回転ゴム印に関する。
【背景技術】
【０００２】
従来から、広く使用されている回転ゴム印としては、例えば、特許文献１に記載されているように、フレームの上部における対向する両側枠部に支軸の両端部を支持させ、この支軸に複数個の回転子（回転ダイヤル）を並列状態に軸支させると共に、フレームの下端部に橋架片（ブリッジ）を張架して上記各回転子の筒部とこの橋架片間に無端の印字ベルトを懸装した構造のものが知られている。
【０００３】
また、特許文献２や特許文献３においても上記と同様な構造を有する回転ゴム印が開示されていると共に、特許文献２には上記構造に加えて印字ベルトに設けられている複数の印字における所望の印字文字を刻設している印字を押印位置に正確に位置決めすることができる機構が備えられている。この機構は、回転子の筒部の内周面に印字ベルトに設けている印字の形成ピッチと同一間隔毎に係合溝を設ける一方、回転子を回転自在に支持している支軸の外周面に係合溝と係合、離脱可能な突起を全長に亘って突設してなり、回転子を回転させて所望の印字を押印位置まで移動させた際に、支軸に突設している突起を係合溝に係止させるように構成されている。
【０００４】
一方、上記特許文献３には、回転子と橋架片間に桁数に応じた本数の印字ベルトを懸装している回転ゴム印において、押印位置に向ける印字文字の変更回数が多い末尾の一〜二桁の数値を押印する印字を設けた印字ベルトのみを自由に動けるようにして桁数の大きい数値を押印する印字ベルトを固定するように構成した回転ゴム印が開示されている。即ち、回転ゴム印の本体であるフレームに上記末尾の一〜二桁の数値を押印する印字ベルトを懸け渡している回転子以外の回転子をカバーによって被覆してこのカバーに設けている爪刃を回転子の外周面に連続形成している歯に係止させることにより、回転子の回動を阻止し、桁数の大きい数値を押印するこれらの印字ベルトの印字を移動させる際にはカバーによる被覆を解除して回転子を回動操作できるように構成している。
【先行技術文献】
【特許文献】
【０００５】
【特許文献１】実公平１−２１８１７号公報
【特許文献２】実開平５−８２５６８号公報
【特許文献３】特開平１１−１９８５０６号公報
【発明の開示】
【発明が解決しようとする課題】
【０００６】
しかしながら、上記のように構成している回転ゴム印は、いずれも回転子を親指と人指し指とによって摘んで一方向に回動操作することにより、印字ベルトを移動させて所望の印字を押印位置にまで送るように構成しているため、誤ってこの回転子に隣接する回転子まで一体に回動操作する事態が発生し、日付け等の設定が正確に行えなくなるといった問題点がある。特に、印字ベルトの本数を多くして大きな桁数を押印可能にした回転ゴム印においては隣接する回転子の間隔も狭くなるため、上記のような問題点が生じ易くなる。    
【０００７】
また、印字ベルトは長期の使用によって伸びが発生するため、印字ベルトを無端状に懸け渡している回転子の筒部や橋架片との間で印字ベルトがスリップして印字ベルトを移動させることが困難となる事態が生じる。このような事態は、特許文献２に記載されているように、回転子の筒部の内周面に設けた係合溝に支軸の外周面に突設している突起を係止させることによって印字を押印位置に正確に位置決めすることができるように構成した回転ゴム印においては、係合溝と突起との係止により摩擦抵抗がさらに増大するためスリッスが生じ易くなる。
【０００８】
一方、上記特許文献３によれば、末尾の一桁の数値を押印する印字ベルトのみを自由に動けるようにして他の印字ベルトを懸け渡している回転子をカバーによって被覆しておけば、隣接する回転子の共回りを防止することができるが、末尾の二桁の数値を押印する２本の印字ベルトをそれぞれ懸け渡している互いに隣接した回転子をカバーによって被覆することなく外部に露出させている場合には、上記のようにこれらの回転子を同時に回動操作する事態が生じる虞れがあり、また、回転子をカバーによって被覆すると、押印する印字の見出し文字を表示する表示窓をフレームに設けることが困難になるといった問題点があった。
【０００９】
本発明はこのような問題点に鑑みてなされたもので、その目的とするところは、所望の印字を押印位置に簡単且つ正確に送り込むことができる印字送り機構を備えた回転ゴム印を提供するにある。
【課題を解決するための手段】
【００１０】
上記目的を達成するために本発明の回転ゴム印は、請求項１に記載したように、ケース状本体における所定間隔を存して対向している両側枠部の下端部間に支軸を固定し、この支軸に、外周面に印字を周方向に一定ピッチ毎に突設している複数個の印字輪を回転自在に並設する一方、上記両側枠部間の上部に印字送り機構を配設してなる回転ゴム印であって、印字送り機構は、上記両側枠部の上端部間に固定した角軸と、この角軸に、上記支軸に並設した各印字輪に対応する位置において停止可能となるように横移動自在に支持されている操作部材と、この操作部材に上下動自在に支持され、下方に押動する毎に上記印字輪を一ビッチだけ回動させるノックピンとから構成されていることを特徴とする。
【００１１】
このように構成した回転ゴム印において請求項２に係る発明は、上記印字輪の外周面に周方向に一定ピッチ毎に歯状突起部を突設してこれらの歯状突起部の頂面に上記印字を貼着していると共に上記操作部材の下端部に、周方向に一定間隔毎に印字輪の上記歯状突起部間の係合溝部に係合する送り片を突設した回動子を回転自在に軸支してあり、この回動子の一つの送り片にノックピンの下端面を押し付けて該ノックピンを常時上方に付勢しているスプリング力に抗して押し下げることにより回動子を所定角度だけ回動させて印字輪を一ピッチだけ回動させるように構成している。
【００１２】
また、請求項３に係る発明は、上記角軸の一つの面に、この角軸の長さ方向に一定間隔毎に、支軸に並設支持された各印字輪に対応させて係止凹部を設けていると共に、操作部材に、スプリング力によって常時、各軸の上記一つの面に摺動自在に押接されて上記係止凹部に係脱自在に係止する小球体を設け、これらの係止凹部と小球体とによって操作部材を所望の印字輪上で停止させる位置決め機構を構成していることを特徴とする。
【００１３】
請求項４に係る発明は、各印字輪の中心に、これらの印字輪に突設している各印字に対応してその内周面に複数の凹溝を形成している中心孔を設けている一方、この中心孔にその外周面を摺接させて印字輪を回転自在に支持している固定支持片を支軸に装着してあり、この固定支持片の外周面に印字輪の中心孔に設けている上記凹溝に係脱自在に係合する弾性係止突片部を突設していることを特徴とする。
【００１４】
さらに、請求項５に係る発明は、全ての印字輪において、押印位置に向けている印字から周方向に一定間隔を存した外周面における隣接する印字間の表面に、上記押印位置に向けている印字文字の見出し文字を記載していると共に、枠体における一つの枠部に外部から見出し文字を確認することができる透窓を設けていることを特徴とする。
【発明の効果】
【００１５】
請求項１に係る発明によれば、ケース状本体における両側枠部の下端部間に固定している支軸に、外周面に印字を周方向に一定ピッチ毎に突設している複数個の印字輪を回転自在に並設する一方、上記両側枠部間の上部に、これらの両側枠部の上端部間に固定した角軸と、この角軸に、上記支軸に並設した各印字輪に対応する位置において停止可能となるように横移動自在に支持されている操作部材と、この操作部材に上下動自在に支持され、下方に押動する毎に上記印字輪を一ビッチだけ回動させるノックピンとからなる印字送り機構を配設しているので、この印字送り機構における操作部材を上記角軸に沿って横移動させることにより、所望の印字輪上にノックピンを簡単に配設することができ、この状態にしてノックピンを下方に押動操作することにより、所望の印字輪のみを回動させてこの印字輪に設けている所望の印字を押印位置に簡単且つ確実に送り込むことができ、日付け等の設定が円滑且つ正確に行うことができる。
【００１６】
その上、ノックピンを下方に押動操作して印字輪の外周面に設けている印字を下方に押し下げることにより印字輪を回動させるように構成しているので、回転子に懸け渡されている従来の印字ベルトのようにスリップが発生するようなことはなく、長期間に亘って正確に作動させることができる。
【００１７】
また、請求項２に係る発明によれば、上記印字輪の外周面に周方向に一定ピッチ毎に歯状突起部を突設してこれらの歯状突起部の頂面に上記印字を貼着していると共に上記操作部材の下端部に、周方向に一定間隔毎に印字輪の上記歯状突起部間の係合溝部に係合する送り片を突設した回動子を回転自在に軸支し、この回動子の一つの送り片にノックピンの下端面を押し付けて該ノックピンを押し下げることにより回動子を所定角度だけ回動させて印字輪を一ピッチだけ回動させるように構成しているので、ノックピンを一回押し下げる操作を行う毎に、回動子を介して印字輪を一ピッチずつ、正確に回動させることができ、押印位置に対する所望の印字の送り込み操作が円滑に行うことができる。
【００１８】
請求項３に係る発明によれば、操作部材を横移動自在に支持している上記角軸の一つの面に、この角軸の長さ方向に一定間隔毎に、支軸に並設支持された各印字輪に対応させて係止凹部を設けていると共に、上記操作部材に、スプリング力によって常時、各軸の上記一つの面に摺動自在に押接されて上記係止凹部に係脱自在に係止する小球体を設け、これらの係止凹部と小球体とによって操作部材を所望の印字輪上で停止させる位置決め機構を構成しているので、角軸に沿って操作部材を所望の印字輪上にまで横移動させれば、操作部材がその位置に達した時に、角軸に設けている凹部に操作部材に設けている小球体が自動的に係合して横移動に対する抵抗力が発生し、操作部材をその位置で簡単且つ正確に停止させることができてこの操作部材の下方に設けている印字輪の回動操作を確実に行うことができる。
【００１９】
請求項４に係る発明によれば、上記各印字輪の中心に、これらの印字輪に突設している各印字に対応してその内周面に複数の凹溝を形成している中心孔を設けている一方、この中心孔にその外周面を摺接させて印字輪を回転自在に支持している固定支持片を支軸に装着してあり、この固定支持片の外周面に印字輪の中心孔に設けている上記凹溝に係脱自在に係合する弾性係止突片部を突設しているので、操作部材に設けている上記ノックピンを一回押し下げて印字輪を一ピッチずつ移動させる毎に、この印字輪の中心孔に設けている凹溝に固定支持片の外周面に突設している弾性係止突片部が係止して、該印字輪をその所望の印字を押印位置に位置させた状態で停止させることができ、正確な押印を可能にすることができる。
【００２０】
請求項５に係る発明によれば、全ての印字輪において、押印位置に向けている印字から周方向に一定間隔を存した外周面における隣接する印字間の表面に、上記押印位置に向けている印字文字の見出し文字を記載していると共に、枠体における一つの枠部に外部から見出し文字を確認することができる透窓を設けているので、透窓に現れる各印字輪の見出し文字を見ながら上記ノックピンを操作することにより、各印字輪に設けている複数の印字における所望の印字を簡単に押印位置に向けることができる。
【図面の簡単な説明】
【００２１】
【図１】本発明回転ゴム印の斜視図。
【図２】その一部切欠斜視図。
【図３】内部構造を示す縦断側面図。
【図４】分解斜視図。
【図５】所望の印字輪を回動操作している状態の一部切欠斜視図。
【図６】その縦断側面図。
【図７】押印する直前の状態を示す縦断側面図。
【図８】押印した状態を示す斜視図。
【発明を実施するための形態】
【００２２】
本発明の具体的な実施例を図面について説明すると、図１〜図４において、回転ゴム印の本体１は平面四角形状の上枠部1aと、この上枠部1aの両側端縁に上端縁を一体に設けている一定長さを有する両側枠部1b、1bと、上枠部1aの前後端縁に上端縁を一体に設け、且つその両側端縁を上記両側枠部1b、1bの前後端縁に直角に連設している一定長さを有する前後枠部1c、1dとからなるケース状に形成されてあり、このケース状本体１の下端は開口していると共にこの開口端部を該ケース本体１の下端部に上下方向に摺動自在に外嵌させた底枠体２によって閉止している。
【００２３】
上記ケース状本体１内における左右に所定間隔を存して対向している両側枠部1b、1bの下端部間に支軸３を水平に配設してその両端部を両側枠部1b、1bの対向面に固定していると共に、この支軸３に、外周面に複数の印字５を周方向に一定ピッチ（一定間隔）毎に設けている同大、同形の複数個の印字輪４を回転自在に並設してあり、さらに、これらの印字輪４の上方における上記両側枠部1b、1bの上部対向面間の空間部に、両端部を両側枠部1b、1bの上端部対向面に固定した断面四角形状の角軸６と、この角軸６に、該角軸６の長さ方向に横移動自在に支持されて上記支軸３に並設した各印字輪４に対応する上方位置において停止可能となるように配設された操作部材７と、この操作部材７の先端側下端部に回動自在に軸支され、且つ、その外周面に上記印字５、５間のピッチに等しい一定間隔毎に印字５と係合して印字輪４を一ピッチだけ下方に回動させる花弁形状の送り片8aを突設している回動子８と、上記操作部材７に上下動自在に支持され、下方に押動させた際にその下端で上記回動子８の一つの送り片8aを下方に押し進めるノックピン９とからなる印字送り機構10を配設している。
【００２４】
この印字送機構10の構造をさらに詳しく説明すると、上記角軸６は上記支軸３の上方においてこの支軸３と平行となるように両側枠部1b、1bの上部対向面における前後方向に中央部間に水平に支持されている。上記操作部材７は、一定厚みを有する横長矩形状板材からなり、その先部（前部）に両側面間に亘って上記角軸６と同一断面形状を有する角孔7aを貫設してこの角孔7aを角軸６に摺動自在に挿嵌させていると共に、基部（後部）は、ケース状本体１の上記後枠部1dの上端部に穿設している横長長方形状のガイド孔11から外部に突出させてあり、この突出部を横送り用の摘まみ片7bに形成している。
【００２５】
さらに、この操作部材７の先部に左右に小間隔を存して並設した一対の回動子軸支片12、12の上端部を固着してあり、これらの軸支片12、12の下端部間に上記回動子８を回転可能に介在させてその中心部を回転自在に支持している。また、この回動子８の外周面に周方向に一定間隔毎に突設している上記送り片8aにおいて、回動子８から後方に突設した送り片8aの上方における上記操作部材７の前後長さ方向の中央部に、上記ノックピン９を上下摺動自在に挿通させてその上下端部でノックピン９を摺動自在に支持している縦孔13を穿設していると共に、この縦孔13の中央部を大径に形成してその孔内にノックピン９を常時、上方に付勢しているコイルスプリング14を配設してあり、常態においては、縦孔13の開口下端から下方に突出しているノックピン９の下端面を回動子８の外周面から後方に向かって斜め上方に突出している一つの送り片8aの先端部上端面に近接、又は当接させていると共にこの送り片8aから二つ隣りの下方に向けて突設している送り片8aの先端部をこの回動子８の下方に対応する上記印字輪４の上向きに開口している後述する係合溝部4bに係合させている。
【００２６】
一方、縦孔13の開口上端から上方に突出しているノックピン９の上部をケース状本体１の上枠部1aに穿設している挿通孔15を通じてケース状本体１から上方に突出させている。なお、ノックピン９の上端部には指先を押し付けてノックピン９を操作する頭部9aを設けている。
【００２７】
また、操作部材７を横移動自在に支持している上記角軸６における前方に向けている一面（前面）に、上記支軸３に並設している角印字輪４の上方に対応させて印字輪４の配列と同一間隔毎に断面凹円弧状の係止凹部16を設けていると共に、これらの係止凹部16に順次、係脱自在に係止する小球体17を前後動自在に内装した前後方向に長い孔18を設けてあり、この孔18内に圧縮状態で収容している押圧コイルスプリング19によって小球体17を常時、角軸６の上記前面に摺動自在に押接させ、操作部材７の横移動によって所望の係止凹部16に係止させて操作部材をその位置で停止させる位置決め機構を構成している。
【００２８】
支軸３に並設している上記印字輪４は、その外周面に周方向に一定ピッチ毎に歯状突起部4aを突設してなる歯車形状に形成されてあり、これらの歯状突起部4aの頂面に数字等の印字文字5aを刻設しているゴム製の上記印字５を貼着してあり、さらに、隣接する歯状突起部4a、4a間に形成している係合溝部4bの底面に印字文字5aに対応する見出し文字5bを記載した紙片20を貼着している。
【００２９】
具体的には、印字輪４の外周面に突設している複数の印字５に、例えば、０〜９までの数字と必要に応じて適宜な文字を順次刻設されてあり、押印位置である下方に向けている印字５の印字文字5aと同一文字（数字）の見出し文字5bを記載した紙片20は下方に向けている上記印字５から前方又は後方に数ピッチ（図においては３〜４ピッチ）だけ間隔を存して突設している印字５、５間の係合溝部4bに貼着されてあり、これらの見出し文字列をケース状本体１の前枠部5c又は後枠部5dの下部に穿設している横長長方形状の透窓21を通じて外部から確認することができるように構成している。
【００３０】
なお、歯状突起部4aは印字４の支持部材として印字４の一部を構成しているものであり、従って、印字４は印字輪４の外周面から放射状に突設した構造となっている。また、歯状突起部4aを印字４と同一材料によって印字４と一体に形成してこの歯状突起部4aを印字輪４の外周面に所定間隔（所定ピッチ）毎に貼着等により固着した構造としておいてもよい。
【００３１】
また、上記全ての印字輪４の中心部には中心孔22が設けられていて、この中心孔22の内周面に、上記印字輪４に突設している各歯状突起部4aの頂面に貼着した印字５にそれぞれ対応して円弧状の凹溝23、23・・・23を形成してあり、隣接する凹溝22、22間は印字輪４の中心に向かって突設した円弧状凸面24によって連続している。即ち、円形状の中心孔22の内周面に、印字輪４の外周面に突設している印字５のピッチ毎に凹溝23と円弧状凸面24とを交互に連続、形成している。
【００３２】
これらの印字輪４を回転自在に支持している上記支軸３には各印字輪４に対応させて固定支持片25の中心部を固着させてあり、この固定支持片25における直径方向で対向する円弧状外周面を印字輪４の中心孔22の内周面に摺接させて印字輪４を支軸３の中心回りに回転自在に支持していると共に、円弧状外周面に対して直交するようにこれらの円弧状外周面の一端側から印字輪４の回転方向に向かって舌片形状の弾性係止突片部26、26を突設している。これらの弾性係止突片部26は、その外周面を中心孔22の円弧状凸面24に摺接させながら基端を支点として内外方向に弾性的に起伏可能に形成されていると共に、その突出端を中心孔22に設けている一つの凹溝23に係脱自在に係合させように構成している。
【００３３】
また、上記回動子８の中心部には、その外周面に突設している送り片8aの数に等しい数（図においては６つ）の角部28を有する正多角形（正六角形）中心角孔27が穿設されていてこの中心角孔27の各角部28を外周面に突設している上記送り片8aの基端にそれぞれ対応させていると共に、この回動子８の中心角孔27を上記操作部材７の先端から垂設している上記左右一対の軸支片12、12間に支持させた固定中心軸29上に、上記固定支持片25と同じ構造を有する回動子支持片30を装着している。
【００３４】
この回動子支持片30は、直径方向に対向する凸円弧状外周面を回動子８の上記中心角孔27の内周面に摺接させて回動子８を固定中心軸29回りに回転自在に支持していると共に、上記凸円弧状外周面に対して直交方向に面した外周面に、回動子８の回転方向に向かって舌片形状の弾性係止突片部31、31を突設している。これらの弾性係止突片部31、31は、その外周面を中心角孔27の平坦な内面32に摺接させながら基端を支点として内外方向に弾性的に起伏可能に形成されていると共に、その突出端を中心角孔27に設けている一つの角部28に係脱自在に係合させように構成している。
【００３５】
ケース状本体１の下端部に上下摺動自在に外嵌している上記底枠体２には、その底板部2aの前後方向の中央部に左右方向に長い長孔からなる押印用窓33を開設してあり、この押印用窓33を通じて上記全ての印字輪４における下方に向けた印字５を外部に露出させるように構成している。なお、底枠体２の底板部2aの下面には、図８に示すように、円径枠状等の固定ゴム印34を設けているが、このような固定ゴム印34は必ずしも設けておく必要はない。図中、35は、ケース状本体１の上枠部1aに突設した押印用ノブである。
【００３６】
次に、以上のように構成した回転ゴム印の使用態様を説明すると、まず、操作部材７の撮み片7bを摘んで角軸６に沿ってこの操作部材７を横移動させ、支軸３に並設している印字輪４における一つの所望の印字輪４の上方にこの操作部材７に設けているノックピン９を位置させる。この際、操作部材７の横移動に従って、操作部材７の前部内に配設している小球体17が、角軸６の前面に印字輪４の並列間隔毎に設けている係止凹部16に押圧スプリング19の弾発力に抗して順次、係脱し、操作部材７を所望の印字輪４上にまで移動させた際に、その位置で小球体17が該印字輪４対応する係止凹部16に係止して、操作部材７を停止させることができる。
【００３７】
また、操作部材７の先部の一対の支持片12、12に回転自在に軸支されている回動子８が操作部材７と一体に横移動してその外周面における下方に向かって突設している送り片8aの先端部を印字輪４の上周部側において上向きに開口している係合溝部4bに係合させながら、一列状に連なったこれらの印字輪４の係合溝部4b内を横方向に摺動移動し、所望の印字輪４の上向きに開口している係合溝部4bに係止した状態を維持する。
【００３８】
次いで、操作部材７に上下動自在に配設している上記ノックピン９の頭部9aを指先で押し下げると、図５、図６に示すようにこのノックピン９の下端によって回動子８における後方に向かって斜め上方に突設している送り片8aが下方に押し進められ、回動子８を固定中心軸29上に装着している回動子支持片30回りに、図において時計方向に回動させる。
【００３９】
この時、回動子８の下向きに突設している上記送り片8aがこの回動子８の下方に位置する上記印字輪４における上向きに開口している係合溝部4bに係合した状態で回動子８の回動に伴ってその先端部で印字輪４を回動子８と反対方向に僅かに回動させたのち係合溝部4bから離脱すると同時にこの送り片8aに隣接する次の送り片8a、即ち、上記ノックピン９に押し下げられる送り片8aの下方に隣接する送り片8aの先端が、上記離脱した送り片8aが係合していた係合溝部4bに隣接する係合溝部4bに係合して回動子８の回転に従って印字輪４を連続的に回動させる。
【００４０】
このように、ノックピン９を下方に押し下げていくと、回動子８の固定中心軸29上に装着している回動子支持片30の弾性係止突片部31の先端が回動子８の中心角孔27の一つの角部28に係止していた状態から次の角部28に向かってこれらの角部28、28間の平坦な直状内面32に弾接させながら相対的に移動し、ノックピン９の下端がそれ以上下動しない下死点に達した時に上記次の角部28に係止して、回動子８を一ピッチだけ回動させた状態で停止させると共に指先によるノックピン９の押圧を解くことによってノックピン９をコイルスプリング14の復元力により上方に押し上げて元の位置に戻す。
【００４１】
ノックピン９の一回の押し下げ操作によって回動子８を一ピッチだけ回動させると、この回動子８の送り片8aを係合溝部4bに係合させている上記印字輪４が回動子８と反対方向に一ピッチだけ回動する。この時、印字輪４を回転自在に支持している支軸３に装着している固定支持片25の弾性係止突片部26の先端が、印字輪４の中心孔22の内周面に各印字５に対応して連続形成している一つの凹溝23に係止していた状態から次の凹溝23に向かってこれらの凹溝23、23間の円弧状凸面24にその外周面を弾接させて内方に撓みながら相対的に移動し、先端が円弧状凸面24を乗り越えるとこの弾性係止突片部26の外方に向かう弾性復元力によってその先端で円弧状凸面24における上記次の凹溝23に向かって傾斜した傾斜面を押圧して印字輪４を積極的に回動したのち、その先端を次の凹溝23に係止させ、印字輪４を一ピッチだけ回動させた状態で回動を停止させる。
【００４２】
ノックピン９の押し下げ操作を１〜数回行うことによって上記印字輪４の所望の印字文字5aを刻設している印字５を押印位置まで移動させて上記押印用窓33から下方に臨ませたのち、操作部材７を次の印字輪４上にまで横移動させ、上記同様にしてノックピン９を押し下げ操作することによって回動子８を介して該印字輪４を回動させ、所望の印字文字5aを刻設している印字５を押印位置まで移動させて上記押印用窓33から下方に臨ませる。
【００４３】
この際、押印位置まで移動させる印字５の見出し文字5bをケース状本体１の前枠部5c又は後枠部5dに設けてい透窓21から確認しながら印字５の送り操作を行う。この操作を各印字輪４に行うことによってこれらの印字輪４に突設している複数の印字５における所望の印字文字5aを刻設している印字５を押印位置まで移動させて上記押印用窓33に臨ませ、底枠体２を押し上げてこの底板体２底板部2aに押印用窓33からこれらの印字５列を外部に突出させた状態にして押印する。なお、この底板体２の押し上げは印字５の送り操作前に行っておいてもよい。
【符号の説明】
【００４４】
１  ケース状本体
３  支軸
４  印字輪
4a  歯状突起部
4b  係合溝部
５  印字
5a  印字文字
5b  見出し文字
６  角軸
７  操作部材
８  回動子
8a  送り片
９  ノックピン
10  印字送り機構
16  係止凹部
17  小球体
21  透窓
25  固定支持片
26  弾性係止突片部
【図１】
2014195913.tif 000003
【図２】
2014195913.tif 000004
【図３】
2014195913.tif 000005
【図４】
2014195913.tif 000006
【図５】
2014195913.tif 000007
【図６】
2014195913.tif 000008
【図７】
2014195913.tif 000009
【図８】
2014195913.tif 000010